(57)【要約】【課題】画像を表示する際の応答時間を短くすることができる表示装置を得る。【解決手段】本開示の表示装置は、複数の画素を有する表示部と、駆動部とを有する表示パネルと、検出信号を生成するタッチパネルと、検出信号に基づいて、第１の画素を含む１または複数の画素を選択する第１の処理を行う第１の処理部と、検出信号に基づいて、複数の画素の画素値をそれぞれ生成する第２の処理を行う第２の処理部と、第１の処理の処理結果に基づいて、所定の第１の信号パターンを、先頭から順に、第１の画素に対応する第１の駆動信号として表示パネルに供給し始め、第２の処理の処理結果において、第１の画素の画素値が変化した場合には、第１の画素の画素値、およびすでに表示パネルに供給した第１の信号パターンの第１の信号部分に基づいて、第２の信号部分を生成し、第２の信号部分を第１の信号部分に続いて表示パネルに供給する生成部とを備える。【選択図】図８
2018151440.tif 000002
【特許請求の範囲】
【請求項１】
複数の画素を有する表示部と、前記複数の画素にそれぞれ対応する複数の駆動信号に基づいて前記複数の画素をそれぞれ駆動可能な駆動部とを有する表示パネルと、
前記表示パネルの表示面におけるタッチを検出し、タッチ座標を含む検出信号を生成するタッチパネルと、
前記検出信号に基づいて、前記表示部の前記複数の画素のうちの第１の画素を含む１または複数の画素を選択する第１の処理を行う第１の処理部と、
前記検出信号に基づいて、前記表示部の前記複数の画素の画素値をそれぞれ生成する第２の処理を行う第２の処理部と、
前記第１の処理の処理結果に基づいて、所定の第１の信号パターンを、先頭から順に、前記第１の画素に対応する第１の駆動信号として前記表示パネルに供給し始め、前記第２の処理の処理結果において、前記第１の画素の前記画素値が変化した場合には、前記第１の画素の前記画素値、およびすでに前記第１の駆動信号として前記表示パネルに供給した前記第１の信号パターンの第１の信号部分に基づいて、第２の信号部分を生成し、前記第２の信号部分を前記第１の信号部分に続いて前記第１の駆動信号として前記表示パネルに供給する生成部と
を備えた表示装置。
【請求項２】
前記第２の処理の処理結果において、前記第１の画素の前記画素値が変化しない場合には、前記生成部は、前記所定の第１の信号パターンを前記第１の駆動信号として引き続き前記表示パネルに供給する
請求項１に記載の表示装置。
【請求項３】
前記第１の処理部が前記第１の処理を終了した後に、前記第２の処理部が前記第２の処理を終了する
請求項１に記載の表示装置。
【請求項４】
前記生成部は、前記第１の画素の前記画素値が変化した場合には、前記第１の画素の前記画素値に基づいて第２の信号パターンを生成し、前記第２の信号パターンおよび前記第１の信号部分に基づいて前記第２の信号部分を生成する
請求項１に記載の表示装置。
【請求項５】
前記生成部は、前記第２の信号パターンから、前記第１の信号部分に応じた所定数の信号を削除することにより、前記第２の信号部分を生成する
請求項４に記載の表示装置。
【請求項６】
前記１または複数の画素は第２の画素を含み、
前記生成部は、前記第１の処理の処理結果に基づいて、前記第１の信号パターンを、先頭から順に、前記第２の画素に対応する第２の駆動信号として前記表示パネルに供給し始め、前記第２の処理の処理結果において、前記第２の画素の前記画素値が変化した場合には、前記第２の画素の前記画素値、およびすでに前記第２の駆動信号として前記表示パネルに供給した前記第１の信号パターンの第３の信号部分に基づいて、第４の信号部分を生成し、前記第４の信号部分を前記第３の信号部分に続いて前記第２の駆動信号として前記表示パネルに供給する
請求項１に記載の表示装置。
【請求項７】
前記第１の信号パターンは、
明表示および暗表示のうちの一方に対応する第１のパターンと、
前記第１のパターンの後ろに配置され、前記明表示および前記暗表示のうちの他方に対応する第２のパターンと
を含む
請求項１に記載の表示装置。
【請求項８】
前記第１のパターンは、前記暗表示に対応し、
前記第２のパターンは、前記明表示に対応する
請求項７に記載の表示装置。
【請求項９】
前記第１のパターンのパターン長は、前記第２のパターンのパターン長と同じ長さである
請求項７に記載の表示装置。
【請求項１０】
前記第１のパターンのパターン長は、前記第２のパターンのパターン長よりも短い
請求項７に記載の表示装置。
【請求項１１】
前記第１の処理および前記第２の処理は、レンダリング処理を含む
請求項１に記載の表示装置。
【請求項１２】
前記表示部は、電気泳動表示素子を用いて構成された
請求項１に記載の表示装置。
【請求項１３】
表示パネルの表示面におけるタッチ座標を含む検出信号に基づいて、前記表示パネルの複数の画素のうちの第１の画素を含む１または複数の画素を選択する第１の処理を行い、
前記検出信号に基づいて、前記表示パネルの前記複数の画素の画素値をそれぞれ生成する第２の処理を行い、
前記第１の処理の処理結果に基づいて、所定の第１の信号パターンを、先頭から順に、前記第１の画素に対応する第１の駆動信号として前記表示パネルに供給し始め、
前記第２の処理の処理結果において、前記第１の画素の前記画素値が変化した場合には、前記第１の画素の前記画素値、およびすでに前記第１の駆動信号として前記表示パネルに供給した前記第１の信号パターンの第１の信号部分に基づいて、第２の信号部分を生成し、前記第２の信号部分を前記第１の信号部分に続いて前記第１の駆動信号として前記表示パネルに供給し、
前記第１の駆動信号に基づいて前記第１の画素を駆動する
表示方法。
【発明の詳細な説明】
【技術分野】
【０００１】
本開示は、電気泳動表示素子を用いた表示装置、およびそのような表示装置において用いられる表示方法に関する。
【背景技術】
【０００２】
例えば電子ペーパーには、しばしば、電気泳動表示素子を用いた双安定の電子光学ディスプレイが用いられる。電気泳動表示素子を用いた表示装置では、画像を表示する際の応答時間が短いことが望まれている。例えば特許文献１には、画像を表示する際のレスポンスの向上を図る電気泳動表示装置が開示されている。
【先行技術文献】
【特許文献】
【０００３】
【特許文献１】特開２０１０−１４５７９５号公報
【発明の概要】
【発明が解決しようとする課題】
【０００４】
このように、電気泳動表示素子を用いた表示装置では、画像を表示する際の応答時間が短いことが望まれており、さらなる応答時間の短縮が期待されている。
【０００５】
画像を表示する際の応答時間を短くすることができる表示装置および表示方法を提供することが望ましい。
【課題を解決するための手段】
【０００６】
本開示の一実施の形態における表示装置は、表示パネルと、タッチパネルと、第１の処理部と、第２の処理部と、生成部とを備えている。表示パネルは、複数の画素を有する表示部と、複数の画素にそれぞれ対応する複数の駆動信号に基づいて複数の画素をそれぞれ駆動可能な駆動部とを有するものである。タッチパネルは、表示パネルの表示面におけるタッチを検出し、タッチ座標を含む検出信号を生成するものである。第１の処理部は、検出信号に基づいて、表示部の複数の画素のうちの第１の画素を含む１または複数の画素を選択する第１の処理を行うものである。第２の処理部は、検出信号に基づいて、表示部の複数の画素の画素値をそれぞれ生成する第２の処理を行うものである。生成部は、第１の処理の処理結果に基づいて、所定の第１の信号パターンを、先頭から順に、第１の画素に対応する第１の駆動信号として表示パネルに供給し始め、第２の処理の処理結果において、第１の画素の画素値が変化した場合には、第１の画素の画素値、およびすでに第１の駆動信号として表示パネルに供給した第１の信号パターンの第１の信号部分に基づいて、第２の信号部分を生成し、第２の信号部分を第１の信号部分に続いて第１の駆動信号として表示パネルに供給するものである。
【０００７】
本開示の一実施の形態における表示方法は、表示パネルの表示面におけるタッチ座標を含む検出信号に基づいて、表示パネルの複数の画素のうちの第１の画素を含む１または複数の画素を選択する第１の処理を行い、検出信号に基づいて、表示パネルの複数の画素の画素値をそれぞれ生成する第２の処理を行い、第１の処理の処理結果に基づいて、所定の第１の信号パターンを、先頭から順に、第１の画素に対応する第１の駆動信号として表示パネルに供給し始め、第２の処理の処理結果において、第１の画素の画素値が変化した場合には、第１の画素の画素値、およびすでに第１の駆動信号として表示パネルに供給した第１の信号パターンの第１の信号部分に基づいて、第２の信号部分を生成し、第２の信号部分を第１の信号部分に続いて第１の駆動信号として表示パネルに供給し、第１の駆動信号に基づいて第１の画素を駆動するものである。
【０００８】
本開示の一実施の形態における表示装置および表示方法では、タッチ座標を含む検出信号に基づいて、表示パネルの複数の画素のうちの第１の画素を含む１または複数の画素を選択する第１の処理が行われるとともに、表示パネルの複数の画素の画素値をそれぞれ生成する第２の処理が行われる。そして、第１の処理の処理結果に基づいて、所定の第１の信号パターンが、先頭から順に、第１の画素に対応する第１の駆動信号として表示パネルに供給され始める。そして、第２の処理の処理結果において、第１の画素の画素値が変化した場合には、第１の画素の画素値、およびすでに第１の駆動信号として表示パネルに供給した第１の信号パターンの第１の信号部分に基づいて、第２の信号部分が生成され、第２の信号部分が第１の信号部分に続いて第１の駆動信号として表示パネルに供給される。
【発明の効果】
【０００９】
本開示の一実施の形態における表示装置および表示方法によれば、第１の処理の処理結果に基づいて、所定の第１の信号パターンを、先頭から順に、第１の画素に対応する第１の駆動信号として表示パネルに供給し始め、第２の処理の処理結果において、第１の画素の画素値が変化した場合には、第１の画素の画素値、およびすでに第１の駆動信号として表示パネルに供給した第１の信号パターンの第１の信号部分に基づいて、第２の信号部分を生成し、第２の信号部分を第１の信号部分に続いて第１の駆動信号として表示パネルに供給するようにしたので、画像を表示する際の応答時間を短くすることができる。なお、ここに記載された効果は必ずしも限定されるものではなく、本開示中に記載されたいずれの効果があってもよい。
【図面の簡単な説明】
【００１０】
【図１】本開示の一実施の形態に係る表示装置の一構成例を表すブロック図である。
【図２】図１に示した表示パネルの一構成例を表すブロック図である。
【図３Ａ】図２に示した表示部の一動作例を表す説明図である。
【図３Ｂ】図２に示した表示部の他の動作例を表す説明図である。
【図４】図１に示した表示装置におけるソフトウェアの一構成例を表すブロック図である。
【図５】図２に示した表示パネルの一動作例を表すタイミング波形図である。
【図６Ａ】図４に示した駆動信号生成部が生成する駆動信号の一例を表す説明図である。
【図６Ｂ】図４に示した駆動信号生成部が生成する駆動信号の他の例を表す説明図である。
【図７Ａ】レンダリング処理結果の一例を表す説明図である。
【図７Ｂ】レンダリング処理結果の他の例を表す説明図である。
【図８】図４に示した駆動信号生成部の一動作例を表す説明図である。
【図９】図４に示した駆動信号生成部の他の動作例を表す説明図である。
【図１０】図４に示した駆動信号生成部の他の動作例を表す説明図である。
【図１１】比較例に係る駆動信号生成部の一動作例を表す説明図である。
【図１２】図１に示した表示装置１の一動作例を表す説明図である。
【図１３】変形例に係る駆動信号生成部の一動作例を表す説明図である。
【図１４Ａ】適用例１の外観の一例を表す斜視図である。
【図１４Ｂ】適用例１の外観の他の例を表す斜視図である。
【図１５】適用例２の外観を表す斜視図である。
【図１６Ａ】適用例３の外観の一例を表す斜視図である。
【図１６Ｂ】適用例３の外観の他の例を表す斜視図である。
【発明を実施するための形態】
【００１１】
以下、本開示の実施の形態について、図面を参照して詳細に説明する。
【００１２】
＜実施の形態＞
［構成例］
図１は、一実施の形態に係る表示装置（表示装置１）の一構成例を表すものである。表示装置１は、電気泳動表示素子を用いた双安定の電子光学ディスプレイである。なお、本開示の実施の形態に係る表示方法は、本実施の形態により具現化されるので、併せて説明する。
【００１３】
表示装置１は、表示パネル５と、タッチパネル６と、演算処理部７と、主記憶装置８と、副記憶装置９とを備えている。表示パネル５は、いわゆる電気泳動ディスプレイ（ＥＰＤ；Electrophoresis Display）であり、演算処理部７から供給された信号Ｓepdに基づいて、画像を表示するものである。タッチパネル６は、ユーザによる操作を受け付けるものであり、例えば表示パネル５の表示面Ｓに重なるように配置されたものである。タッチパネル６は、表示パネル５の表示面Ｓにおけるユーザのタッチを検出し、ユーザがタッチした座標（タッチ座標）についての情報を、信号Ｓtpを用いて演算処理部７に供給するようになっている。演算処理部７は、タッチパネル６から供給されたタッチ座標についての情報に基づいて演算処理を行い、その演算処理結果に基づいて、表示パネル５の動作を制御するものである。この演算処理部７は、例えば、ＣＰＵ（Central Processing Unit）を用いて構成され、プログラムを実行することにより様々な演算処理を行うことができるようになっている。主記憶装置８は、いわゆるメインメモリであり、例えばＤＲＡＭ（Dynamic Random Access Memory）を用いて構成される。副記憶装置９は、オペレーティングシステム、アプリケーションソフトウェアなどの各種プログラムを記憶するものであり、例えばフラッシュメモリなどの不揮発性メモリを用いて構成される。
【００１４】
図２は、表示パネル５の一構成例を表すものである。表示パネル５は、表示部２０と、駆動部１０とを有している。
【００１５】
表示部２０は、複数の画素Ｐixがマトリックス状に配置されたものである。また、表示部２０は、水平方向（図２における横方向）に延伸する複数（この例ではＮ本）の走査線ＳＣＬ（走査線ＳＣＬ（１）〜ＳＣＬ（Ｎ））と、垂直方向（図２における縦方向）に延伸する複数の信号線ＳＧＬとを有している。複数の走査線ＳＣＬの一端、および複数の信号線ＳＧＬの一端は、駆動部１０にそれぞれ接続されている。
【００１６】
画素Ｐixは、トランジスタ２１と、表示素子２２とを有している。トランジスタ２１は、この例ではＮ型のＭＯＳ（Metal Oxide Semiconductor）トランジスタである。トランジスタ２１のソースは信号線ＳＧＬに接続され、ゲートは走査線ＳＣＬに接続され、ドレインは表示素子２２に接続されている。表示素子２２は、この例では、マイクロカプセル方式の電気泳動素子を含んで構成されるものであり、一端はトランジスタ２１のドレインに接続され、他端には電圧Ｖcom（例えば０Ｖ）が供給されている。
【００１７】
図３Ａ，３Ｂは、表示部２０の一構成例を模式的に表すものであり、図３Ａは画素Ｐixが白表示を行う場合を示し、図３Ｂは画素Ｐixが黒表示を行う場合を示す。表示部２０は、駆動基板３０と、対向基板４０と、複数のマイクロカプセル２３とを有している。
【００１８】
駆動基板３０は、表示部２０における表示面Ｓとは反対側に配置されるものである。駆動基板３０は、基板３１と、複数の画素電極３２とを有している。基板３１には、図示していないが、トランジスタ２１、走査線ＳＣＬ、および信号線ＳＧＬが形成されている。複数の画素電極３２は、基板３１の表面に、各画素Ｐixに１つの割合で形成されている。画素電極３２は、例えば、金（Ａｕ）、銀（Ａｇ）、銅（Ｃｕ）、アルミニウム（Ａｌ）等の金属材料を用いて構成されている。画素電極３２は、トランジスタ２１のドレインに接続されている。そして、この画素電極３２には、駆動部１０の信号線駆動部１３（後述）により画素電圧Ｖpix（後述）が供給されるようになっている。
【００１９】
対向基板４０は、表示部２０における表示面Ｓの側に、駆動基板３０に対向するように配置されたものである。対向基板４０は、基板４１と、対向電極４２とを有している。基板４１は、光透過性を有するものである。対向電極４２は、この基板４１の表面に、複数の画素Ｐixに対応する領域にわたり一様に形成されている。対向電極４２は、光透過性を有するものであり、例えば、ＩＴＯ（Indium Tin Oxide）等の光透光性導電性材料を用いて構成されるものである。この対向電極４２には、駆動部１０により電圧Ｖcom（例えば０Ｖ）が供給されるようになっている。
【００２０】
マイクロカプセル２３は、表示素子２２として機能するものであり、球形状を有するものである。このマイクロカプセル２３は、駆動基板３０と対向基板４０との間に、各画素Ｐixに例えば複数個（例えば４個程度）の割合で配置され、バインダ２６により固定されている。なお、この図３Ａ，３Ｂでは、説明の便宜上、マイクロカプセル２３を各画素Ｐixに１つの割合で描いている。マイクロカプセル２３内には、複数の泳動粒子２４Ｗおよび複数の泳動粒子２４Ｂが収容されるとともに、分散媒２５が充填されている。泳動粒子２４Ｗは、白表示を担うものであり、例えば正の電荷を有している。泳動粒子２４Ｂは、黒表示を担うものであり、例えば負の電荷を有している。分散媒２５は、複数の泳動粒子２４Ｗ，２４Ｂをマイクロカプセル２３内に分散させるものである。
【００２１】
この構成により、各画素Ｐixでは、画素電極３２の電圧（画素電圧Ｖpix）に応じて電界が生じ、マイクロカプセル２３内の泳動粒子２４Ｗ，２４Ｂが、その電界に応じて、分散媒２５中を移動する。
【００２２】
具体的には、例えば、画素電圧Ｖpixが正の電圧Ｖｐ（例えば＋１５Ｖ）に設定された場合には、泳動粒子２４Ｗは、正の電荷を有するため、マイクロカプセル２３内を対向電極４２に向かって移動し、泳動粒子２４Ｂは、負の電荷を有するため、マイクロカプセル２３内を画素電極３２に向かって移動する。よって、例えば画素電圧Ｖpixが長い時間にわたり電圧Ｖｐに設定された場合には、図３Ａに示したように、白表示を担う泳動粒子２４Ｗが表示面Ｓ側に集まるため、画素Ｐixは白表示を行う。
【００２３】
また、例えば、画素電圧Ｖpixが負の電圧Ｖｍ（例えば−１５Ｖ）に設定された場合には、泳動粒子２４Ｂは、負の電荷を有するため、マイクロカプセル２３内を対向電極４２に向かってに移動し、泳動粒子２４Ｗは、正の電荷を有するため、マイクロカプセル２３内を画素電極３２に向かって移動する。よって、例えば画素電圧Ｖpixが長い時間にわたり電圧Ｖｍに設定された場合には、図３Ｂに示したように、黒表示を担う泳動粒子２４Ｂが表示面Ｓ側に集まるため、画素Ｐixは黒表示を行う。
【００２４】
また、電圧Ｖｐ，Ｖｍを印加する時間の長さに応じて、画素Ｐixは、黒表示および白表示の間の中間階調表示を行うことができる。また、例えば、画素電圧Ｖpixが電圧Ｖcomと同じ電圧（例えば０Ｖ）である場合には、泳動粒子２４Ｗ，２４Ｂは移動しないため、画素Ｐixは、表示状態を維持することができるようになっている。
【００２５】
なお、この例では、泳動粒子２４Ｗが白表示を担い、泳動粒子２４Ｂが黒表示を担うようにしたが、これに限定されるものではなく、泳動粒子２４Ｗが明表示を担い、泳動粒子２４Ｂが暗表示を担うのであれば、どのような色であってもよい。また、この例では、泳動粒子２４Ｗが正の電荷を有し、泳動粒子２４Ｂが負の電荷を有するようにしたが、これに限定されるものではなく、これに代えて、例えば、泳動粒子２４Ｂが正の電荷を有し、泳動粒子２４Ｗが負の電荷を有するようにしてもよい。この場合には、画素Ｐixの画素電圧Ｖpixが正の電圧Ｖｐに設定された場合にその画素Ｐixは黒表示を行い、画素Ｐixの画素電圧Ｖpixが負の電圧Ｖｍにその画素Ｐixは白表示を行う。
【００２６】
駆動部１０（図２）は、表示部２０を駆動するものであり、表示制御部１１と、走査線駆動部１２と、信号線駆動部１３とを有している。表示制御部１１は、演算処理部７から供給された信号Ｓepdに基づいて、走査線駆動部１２および信号線駆動部１３の動作を制御するものである。走査線駆動部１２は、表示制御部１１から供給された信号に基づいて、走査線ＳＣＬに対して走査信号Ｓｃを印加することにより、画素Ｐixを行単位で順次選択するものである。信号線駆動部１３は、表示制御部１１から供給された信号に基づいて、３つの電圧Ｖｐ，Ｖｍ，Ｖcomを含む信号Ｓigを生成するものである。そして、信号線駆動部１３は、この信号Ｓigを信号線ＳＧＬに印加する。これにより、走査線駆動部１２により選択された画素Ｐixでは、この信号Ｓigに基づいて、画素電極３２の電圧（画素電圧Ｖpix）が設定されるようになっている。
【００２７】
この構成により、駆動部１０は、表示部２０の複数の画素Ｐixのうち、表示状態を変化させる画素Ｐixに対してのみ、電圧Ｖｐ，Ｖｍを供給し、表示状態を維持する画素Ｐixに対しては電圧Ｖcomを供給する。これにより、表示装置１は、全ての画素Ｐixの表示状態を設定しなおす場合に比べて、例えば、表示画像のちらつきを抑えることができるとともに、消費電力を低減することができる。
【００２８】
図４は、表示装置１におけるソフトウェア構成の一例を表すものである。この例では、演算処理部７では、アプリケーションソフトウェア５１、フレームワークソフトウェア５２、およびオペレーティングシステム６０が実行される。
【００２９】
アプリケーションソフトウェア５１は、この例では、ユーザが指やペンを用いてタッチパネル６を操作して線を描いたときの軌跡を表示パネル５に表示させる機能（いわゆる手書き機能）を有するものである。具体的には、アプリケーションソフトウェア５１は、オペレーティングシステム６０のドライバソフトウェア６１（後述）からフレームワークソフトウェア５２を介して供給された、ユーザがタッチした座標（タッチ座標）についての情報に基づいて、この手書き機能に係る処理（手書き処理）を行う。そして、アプリケーションソフトウェア５１は、フレームワークソフトウェア５２に対して、レンダリング処理を行うように指示を行うようになっている。
【００３０】
フレームワークソフトウェア５２は、アプリケーションソフトウェア５１とオペレーティングシステム６０との間の情報のやりとりの仲介を行うソフトウェアである。この例では、フレームワークソフトウェア５２は、例えば、オペレーティングシステム６０のドライバソフトウェア６１（後述）から供給された、ユーザがタッチした座標（タッチ座標）についての情報を、アプリケーションソフトウェア５１に供給する。また、フレームワークソフトウェア５２は、アプリケーションソフトウェア５１からの指示に基づいて、レンダリング処理を行い、ユーザが線を描いたときの軌跡を示す画像情報を生成する。このレンダリング処理により生成された画像情報は、各画素Ｐixの画素値を含む画像データである。各画素Ｐixの画素値は、例えば１６階調の画素値である。また、フレームワークソフトウェア５２は、例えば、表示装置１の状態をユーザに通知するための、いわゆるダイアログ画面を示す画像情報を生成する機能をも有している。フレームワークソフトウェア５２は、ダイアログ画面を示す画像情報を生成した場合には、レンダリング処理により生成した画像情報とダイアログ画面を示す画像情報とを合成する。そして、フレームワークソフトウェア５２は、これらの処理により生成された画像情報を、例えばフレームバッファメモリを介してオペレーティングシステム６０のドライバソフトウェア６２（後述）に供給するようになっている。また、フレームワークソフトウェア５２は、アプリケーションソフトウェア５１に対して、ＧＵＩ（Graphical User Interface）などの各種ライブラリやミドルウェアの提供などを行う機能をも有している。
【００３１】
なお、この例では、フレームワークソフトウェア５２が、アプリケーションソフトウェア５１からの指示に基づいて、レンダリング処理を行うようにしたが、これに限定されるものではない。これに代えて、例えば、アプリケーションソフトウェア５１がレンダリング処理を行うようにしてもよい。
【００３２】
オペレーティングシステム６０は、いわゆる基本ソフトウェアであり、例えばタスクの管理、ハードウェアリソースの管理、メモリ領域の割り当てや解放などを行うものである。オペレーティングシステム６０は、ドライバソフトウェア６１，６２を含んでいる。
【００３３】
ドライバソフトウェア６１は、タッチパネル６から供給された信号Ｓtpを受け取るものである。そして、ドライバソフトウェア６１は、信号Ｓtpに含まれる、ユーザがタッチした座標（タッチ座標）についての情報を、フレームワークソフトウェア５２およびドライバソフトウェア６２に供給するようになっている。
【００３４】
ドライバソフトウェア６２は、表示パネル５に対して、表示すべき画像情報を含む信号Ｓepdを供給するものである。ドライバソフトウェア６２は、レンダリング部６３と、画像処理部６４と、駆動信号生成部６５とを有している。
【００３５】
レンダリング部６３は、ユーザがタッチした座標（タッチ座標）についての情報に基づいて、レンダリング処理を行うものである。具体的には、レンダリング部６３は、例えば、最新のタッチ座標および一つ前のタッチ座標に基づいて、これらの２つのタッチ座標を例えば直線を用いて互いに結ぶことにより、軌跡を示す画像情報を生成する。すなわち、タッチパネル６は、所定の時間間隔でタッチ座標を検出するので、ユーザが指やペンを用いて線を描いた場合には、最新のタッチ座標は、例えば、一つ前のタッチ座標から離れた座標になる。よって、レンダリング部６３は、これらの２つのタッチ座標を互いに結ぶことにより、ユーザが描いた線を再現する。なお、線の太さは、例えば、あらかじめアプリケーションソフトウェア５１から指示される。このようにして生成した画像情報は、例えば、線を構成する画素Ｐixに画素値“１”が対応づけられ、それ以外の画素Ｐixに画素値“０”が対応づけられた画像データである。そして、レンダリング部６３は、生成した画像情報を駆動信号生成部６５に供給する。その際、レンダリング部６３は、画像情報に加え、画素値が変化した画素Ｐixについての描画要求をも、駆動信号生成部６５に供給するようになっている。
【００３６】
レンダリング部６３は、例えば、フレームワークソフトウェア５２よりも、演算量が少ない簡易なアルゴリズムを用いて、レンダリング処理を行うことが望ましい。このレンダリング部６３によるレンダリング処理の処理結果は、フレームワークソフトウェア５２によるレンダリング処理の処理結果と、ほぼ同じであることが望ましい。これにより、表示装置１では、タッチ座標についての情報に基づいてレンダリング部６３がレンダリング処理を行う処理時間を、タッチ座標についての情報に基づいてフレームワークソフトウェア５２がレンダリング処理を行う処理時間よりも短くすることができる。すなわち、レンダリング部６３がレンダリング処理を行う場合には、フレームワークソフトウェア５２を介さないので、処理時間を短くすることができる。その結果、表示装置１では、後述するように、レンダリング部６３による処理結果に基づいて先行して描画処理を開始することができるため、画像を表示する際の応答時間を短くすることができるようになっている。
【００３７】
画像処理部６４は、フレームワークソフトウェア５２から供給された画像情報に基づいて、画素値が変化した画素Ｐixについての描画要求を生成するものである。そして、画像処理部６４は、画像情報を、描画要求とともに、駆動信号生成部６５に供給するようになっている。
【００３８】
駆動信号生成部６５は、レンダリング部６３から供給された画像情報および描画要求と、画像処理部６４から供給された画像情報および描画要求に基づいて、表示状態が変化すべき画素Ｐixの駆動信号Ｓdrvを生成するものである。駆動信号Ｓdrvは、画素Ｐixにおける画素電圧Ｖpixの設定値のシーケンスを示すものであり、画素Ｐixごとに生成されるものである。そして、駆動信号生成部６５は、生成した駆動信号Ｓdrvを含む信号Ｓepdを、表示パネル５に供給するようになっている。
【００３９】
この構成により、表示装置１では、後述するように、例えば、ユーザが指やペンを用いて線を描いた場合に、レンダリング部６３が簡易なアルゴリズムを用いてレンダリング処理を行うとともに、フレームワークソフトウェア５２が、アプリケーションソフトウェア５１からの指示に基づいてレンダリング処理を行う。そして、駆動信号生成部６５は、これらのレンダリング処理の処理結果に基づいて、表示状態が変化すべき画素Ｐixの駆動信号Ｓdrvを生成し、生成した駆動信号Ｓdrvを表示パネル５に供給する。そして、表示パネル５の駆動部１０は、その駆動信号Ｓdrvに基づいてその画素Ｐixを駆動する。
【００４０】
駆動信号生成部６５は、例えば、白表示から黒表示に変化する画素Ｐixの駆動信号Ｓdrvを求める際、まず、レンダリング部６３によるレンダリング処理の処理結果に基づいて、所定の信号パターン（信号パターンＰＡＴＡ）を、先頭から順に駆動信号Ｓdrvとして表示パネル５に供給し始める。そして、表示パネル５の駆動部１０は、その駆動信号Ｓdrvに基づいて、画素Ｐixが黒表示を行うように、画素Ｐixを先行して駆動し始める。その後、駆動信号生成部６５は、フレームワークソフトウェア５２によるレンダリング処理の処理結果を受け取ると、その処理結果と、すでに表示パネル５に供給した駆動信号Ｓdrvの信号部分とに基づいて、駆動信号Ｓdrvの残りの信号部分を生成し、その残りの信号部分を表示パネル５に供給する。表示パネル５の駆動部１０は、その残りの信号部分に基づいて、画素Ｐixを引き続き駆動する。このように、表示装置１では、レンダリング部６３によるレンダリング処理の処理結果に基づいて、画素Ｐixを先行して駆動し始めることにより、画像を表示する際の応答時間を短くすることができるようになっている。
【００４１】
なお、この例では、図４に示したように、各ブロックをソフトウェアにより構成したが、これに限定されるものではなく、これらのブロックの一部またはすべてをハードウェアにより構成してもよい。
【００４２】
ここで、レンダリング部６３は、本開示における「第１の処理部」の一具体例に対応する。アプリケーションソフトウェア５１およびフレームワークソフトウェア５２は、本開示における「第２の処理部」の一具体例に対応する。駆動信号生成部６５は、本開示における「生成部」の一具体例に対応する。
【００４３】
［動作および作用］
続いて、本実施の形態の表示装置１の動作および作用について説明する。
【００４４】
（全体動作概要）
まず、図１，４を参照して、表示装置１の全体動作概要を説明する。タッチパネル６（図１）は、表示パネル５の表示領域におけるユーザがタッチした座標（タッチ座標）についての情報を、信号Ｓtpを用いて演算処理部７に供給する。演算処理部７において実行されるドライバソフトウェア６１（図４）は、この信号Ｓtpに含まれるタッチ座標についての情報を、ドライバソフトウェア６２およびフレームワークソフトウェア５２に供給する。
【００４５】
ドライバソフトウェア６２のレンダリング部６３は、タッチ座標についての情報に基づいて、レンダリング処理を行うことにより画像情報を生成し、生成した画像情報を、画素値が変化した画素Ｐixについての描画要求とともに、駆動信号生成部６５に供給する。
【００４６】
フレームワークソフトウェア５２は、タッチ座標についての情報を、アプリケーションソフトウェア５１に供給する。アプリケーションソフトウェア５１は、そのタッチ座標についての情報に基づいて、いわゆる手書き機能に係る処理（手書き処理）を行う。そして、フレームワークソフトウェア５２は、アプリケーションソフトウェア５１からの指示に基づいてレンダリング処理を行うことにより画像情報を生成し、生成した画像情報をドライバソフトウェア６２に供給する。ドライバソフトウェア６２の画像処理部６４は、フレームワークソフトウェア５２から供給された画像情報に基づいて、画素値が変化した画素Ｐixについての描画要求を生成し、画像情報を、描画要求とともに、駆動信号生成部６５に供給する。
【００４７】
駆動信号生成部６５は、レンダリング部６３から供給された画像情報および描画要求と、画像処理部６４から供給された画像情報および描画要求に基づいて、表示状態が変化すべき画素Ｐixの駆動信号Ｓdrvを生成する。そして、駆動信号生成部６５は、生成した駆動信号Ｓdrvを含む信号Ｓepdを、表示パネル５に供給する。表示パネル５の駆動部１０は、その駆動信号Ｓdrvに基づいて、その画素Ｐixを駆動する。
【００４８】
（詳細動作）
まず、表示パネル５における描画動作について、詳細に説明する。
【００４９】
図５は、表示パネル５の一動作例を表すものであり、（Ａ）は走査信号Ｓｃ（１）〜Ｓｃ（Ｎ）の波形を示し、（Ｂ）は画素Ｐix（ｍ），Ｐix（ｎ），Ｐix（Ｎ）における画素電圧Ｖpix（ｍ），Ｖpix（ｎ），Ｖpix（Ｎ）を示し、（Ｃ）は画素Ｐix（ｍ），Ｐix（ｎ），Ｐix（Ｎ）の表示状態を示す。ここで、例えば、走査信号Ｓｃ（１）は、１行目の複数の画素Ｐixに対応する走査線ＳＣＬ（１）に印加される走査信号Ｓｃであり、走査信号Ｓｃ（ｍ）は、ｍ行目の複数の画素Ｐixに対応する走査線ＳＣＬ（ｍ）に印加される走査信号Ｓｃであり、走査信号Ｓｃ（ｎ）は、ｎ行目の複数の画素Ｐixに対応する走査線ＳＣＬ（ｎ）に印加される走査信号Ｓｃであり、走査信号Ｓｃ（Ｎ）は、Ｎ行目の複数の画素Ｐixに対応する走査線ＳＣＬ（Ｎ）に印加される走査信号Ｓｃである。画素Ｐix（ｍ）は、表示部２０におけるｍ行目の複数の画素Ｐixのうちの１つであり、画素Ｐix（ｎ）は、表示部２０におけるｎ行目の複数の画素Ｐixのうちの１つであり、画素Ｐix（Ｎ）は、表示部２０における最後のＮ行目の複数の画素Ｐixのうちの１つである。
【００５０】
表示パネル５は、この例では、タイミングｔ１〜ｔ１６の期間（描画期間ＰＷ）において、表示状態が変化すべき各画素Ｐixに対する描画処理を行う。以下に、この動作について詳細に説明する。
【００５１】
まず、タイミングｔ１〜ｔ６の期間（フレーム期間Ｆ）において、走査線駆動部１２は、走査線ＳＣＬ（１）〜ＳＣＬ（Ｎ）に対して、走査信号Ｓｃ（１）〜Ｓｃ（Ｎ）を印加することにより、画素Ｐixを行単位で順次選択する（図５（Ａ））。具体的には、タイミングｔ１〜ｔ２の期間（水平期間Ｈ）において、走査信号Ｓｃ（１）が高レベルになり、１行目の複数の画素Ｐixが選択される。その後、２行目以降の複数の画素Ｐixも、同様に行単位で順次選択される。そして、各画素Ｐixでは、画素電圧Ｖpixが設定され、各画素Ｐixの表示状態は、画素電圧Ｖpixに応じた表示状態に変化し始める。
【００５２】
例えば、タイミングｔ３において、走査信号Ｓｃ（ｍ）が低レベルから高レベルに変化すると（図５（Ａ））、画素Ｐix（ｍ）では、トランジスタ２１がオン状態になり、画素電極３２が信号線ＳＧＬに接続される。これにより、画素Ｐix（ｍ）の画素電圧Ｖpix（ｍ）が信号Ｓigの電圧（この例では正の電圧Ｖｐ）に設定される（図５（Ｂ））。そして、その後に、この走査信号Ｓｃ（ｍ）が高レベルから低レベルに変化すると（図５（Ａ））、画素Ｐix（ｍ）では、トランジスタ２１がオフ状態になり、画素電極３２が信号線ＳＧＬから切り離される。これにより、画素Ｐix（ｍ）の画素電極３２はフローティング状態になり、画素電圧Ｖpix（ｍ）はこれ以降も電圧Ｖｐに維持される（図５（Ｂ））。その結果、画素Ｐix（ｍ）における表示状態は、黒表示から白表示に向かって変化し始める（図５（Ｃ））。
【００５３】
同様に、例えばタイミングｔ４において、走査信号Ｓｃ（ｎ）が低レベルから高レベルに変化すると（図５（Ａ））、画素Ｐix（ｎ）の画素電圧Ｖpix（ｎ）が信号Ｓigの電圧（この例では負の電圧Ｖｍ）に設定される（図５（Ｂ））。そして、その後に、この走査信号Ｓｃ（ｎ）が高レベルから低レベルに変化すると（図５（Ａ））、画素電圧Ｖpix（ｎ）はこれ以降も電圧Ｖｍに維持される（図５（Ｂ））。その結果、画素Ｐix（ｎ）における表示状態は、白表示から黒表示に向かって変化し始める（図５（Ｃ））。
【００５４】
同様に、例えばタイミングｔ５において、走査信号Ｓｃ（Ｎ）が低レベルから高レベルに変化すると（図５（Ａ））、画素Ｐix（Ｎ）の画素電圧Ｖpix（Ｎ）が信号Ｓigの電圧（この例では電圧Ｖcom）に設定される（図５（Ｂ））。そして、その後に、この走査信号Ｓｃ（Ｎ）が高レベルから低レベルに変化すると（図５（Ａ））、画素電圧Ｖpix（Ｎ）はこれ以降も電圧Ｖcomに維持される（図５（Ｂ））。その結果、画素Ｐix（Ｎ）における表示状態は、それまでの表示状態（この例では白表示）に維持される（図５（Ｃ））。なお、この例では、白表示を維持する例を示したが、黒表示を維持してもよい。
【００５５】
その後、タイミングｔ６〜ｔ１１の期間において、表示パネル５は、複数のフレーム期間Ｆにわたり、同様に動作する。これにより、例えば画素Ｐix（ｍ）の画素電圧Ｖpix（ｍ）は正の電圧Ｖｐに維持され（図５（Ｂ））、画素Ｐix（ｍ）における表示状態は、白表示に向かって引き続き変化し続ける（図５（Ｃ））。同様に、例えば画素Ｐix（ｎ）の画素電圧Ｖpix（ｎ）は負の電圧Ｖｍに維持され、画素Ｐix（ｎ）における表示状態は、黒表示に向かって引き続き変化し続ける（図５（Ｃ））。また、例えば画素Ｐix（Ｎ）の画素電圧Ｖpix（Ｎ）は電圧Ｖcomに維持され（図５（Ｂ））、画素Ｐix（Ｎ）における表示状態は維持される（図５（Ｃ））。
【００５６】
そして、タイミングｔ１１〜ｔ１６の期間（フレーム期間Ｆ）において、走査線駆動部１２は、走査線ＳＣＬ（１）〜ＳＣＬ（Ｎ）に対して、走査信号Ｓｃ（１）〜Ｓｃ（Ｎ）を印加することにより、画素Ｐixを行単位で順次選択する（図５（Ａ））。そして、各画素Ｐixでは、画素電圧Ｖpixが電圧Ｖcomに設定され、各画素Ｐixの表示状態の変化が終了する。
【００５７】
例えば、タイミングｔ１３において、走査信号Ｓｃ（ｍ）が低レベルから高レベルに変化すると（図５（Ａ））、画素Ｐix（ｍ）の画素電圧Ｖpix（ｍ）が信号Ｓigの電圧（この例では電圧Ｖcom）に設定される（図５（Ｂ））。そして、その後に、この走査信号Ｓｃ（ｍ）が高レベルから低レベルに変化すると（図５（Ａ））、画素電圧Ｖpix（ｍ）はこれ以降も電圧Ｖcomに維持される（図５（Ｂ））。その結果、画素Ｐix（ｍ）における表示状態は、これ以降、白表示に維持される（図５（Ｃ））。
【００５８】
同様に、例えばタイミングｔ１４において、走査信号Ｓｃ（ｎ）が低レベルから高レベルに変化すると（図５（Ａ））、画素Ｐix（ｎ）の画素電圧Ｖpix（ｎ）が信号Ｓigの電圧（この例では電圧Ｖcom）に設定される（図５（Ｂ））。そして、その後に、この走査信号Ｓｃ（ｎ）が高レベルから低レベルに変化すると（図５（Ａ））、画素電圧Ｖpix（ｎ）はこれ以降も電圧Ｖcomに維持される（図５（Ｂ））。その結果、画素Ｐix（ｎ）における表示状態は、これ以降、黒表示に維持される（図５（Ｃ））。
【００５９】
同様に、例えばタイミングｔ１５において、走査信号Ｓｃ（Ｎ）が低レベルから高レベルに変化すると（図５（Ａ））、画素Ｐix（Ｎ）の画素電圧Ｖpix（Ｎ）が信号Ｓigの電圧（この例では電圧Ｖcom）に設定される（図５（Ｂ））。そして、その後に、この走査信号Ｓｃ（Ｎ）が高レベルから低レベルに変化すると（図５（Ａ））、画素電圧Ｖpix（Ｎ）はこれ以降も電圧Ｖcomに維持される（図５（Ｂ））。そして、画素Ｐix（Ｎ）における表示状態は、この例では白表示に維持される（図５（Ｃ））。
【００６０】
このようにして、表示装置１では、複数のフレーム期間Ｆを含む描画期間ＰＷにおいて、描画処理が行われる。表示パネル５は、ドライバソフトウェア６２が画素Ｐixごとに生成した駆動信号Ｓdrvに基づいて、図５に示したような描画処理を行う。
【００６１】
具体的には、例えば、ドライバソフトウェア６２は、図６Ａに示す駆動信号Ｓdrv（ｍ）を生成し、表示パネル５の駆動部１０は、この駆動信号Ｓdrv（ｍ）に基づいて画素Ｐix（ｍ）を駆動する。図６Ａにおいて、信号“Ｐ”は、電圧Ｖｐに対応するものであり、白表示を行うための信号である。また、信号“０”は電圧Ｖcomに対応するものであり、表示状態を維持するための信号である。駆動信号Ｓdrv（ｍ）は、この例では、１２個の信号“Ｐ”および１個の信号“０”がこの順で並んだものである。駆動部１０は、この駆動信号Ｓdrv（ｍ）に基づいて、１２個のフレーム期間Ｆにおいて画素電圧Ｖpix（ｍ）が電圧Ｖｐに設定され、続く１つのフレーム期間Ｆにおいて画素電圧Ｖpix（ｍ）が電圧Ｖcomに設定されるように、画素Ｐix（ｍ）を駆動する。これにより、図５に示したように、画素Ｐix（ｍ）の表示状態は、黒表示から白表示に変化する。
【００６２】
また、例えば、ドライバソフトウェア６２は、図６Ｂに示す駆動信号Ｓdrv（ｎ）を生成し、表示パネル５の駆動部１０は、この駆動信号Ｓdrv（ｎ）に基づいて画素Ｐix（ｎ）を駆動する。図６Ｂにおいて、信号“Ｍ”は、電圧Ｖｍに対応するものであり、黒表示を行うための信号である。駆動信号Ｓdrv（ｎ）は、この例では、１２個の信号“Ｍ”および１個の信号“０”がこの順で並んだものである。駆動部１０は、この駆動信号Ｓdrv（ｎ）に基づいて、１２個のフレーム期間Ｆにおいて画素電圧Ｖpix（ｎ）が電圧Ｖｍに設定され、続く１つのフレーム期間Ｆにおいて画素電圧Ｖpix（ｎ）が電圧Ｖcomに設定されるように、画素Ｐix（ｎ）を駆動する。これにより、図５に示したように、画素Ｐix（ｎ）の表示状態は、白表示から黒表示に変化する。
【００６３】
なお、図６Ａ，６Ｂでは、駆動信号Ｓdrv（ｍ）における信号“Ｐ”の数と、駆動信号Ｓdrv（ｎ）における信号“Ｍ”の数とを同じにしたが、これに限定されるものではない。例えば、白表示から黒表示に変化させる場合の変化時間が、黒表示から白表示に変化させる場合の変化時間よりも短いような表示パネル５を用いた場合には、駆動信号Ｓdrv（ｍ）における信号“Ｐ”の数よりも、駆動信号Ｓdrv（ｎ）における信号“Ｍ”の数を少なくすることができる。
【００６４】
（手書き機能について）
次に、表示装置１における手書き機能について、詳細に説明する。表示装置１では、例えば、ユーザが指やペンを用いてタッチパネル６を操作して線を描いた場合に、レンダリング部６３が簡易なアルゴリズムを用いてレンダリング処理を行うとともに、フレームワークソフトウェア５２が、アプリケーションソフトウェア５１からの指示に基づいてレンダリング処理を行う。駆動信号生成部６５は、これらのレンダリング処理の処理結果に基づいて、表示状態を変化すべき画素Ｐixに供給する駆動信号Ｓdrvを生成し、生成した駆動信号Ｓdrvを表示パネル５に供給する。そして、表示パネル５の駆動部１０はその駆動信号Ｓdrvに基づいてその画素Ｐixを駆動する。
【００６５】
図７Ａは、レンダリング部６３によるレンダリング処理の処理結果を示し、図７Ｂは、フレームワークソフトウェア５２によるレンダリング処理の処理結果を示す。図７Ａ，７Ｂにおいて、網掛けされた画素Ｐixは、白表示から黒表示に変化すべき画素Ｐixを示し、網掛けされていない画素Ｐixは、白表示を維持すべき画素Ｐixを示す。
【００６６】
レンダリング部６３は、演算量が少ない簡易なアルゴリズムを用いて、レンダリング処理を行う。具体的には、レンダリング部６３は、例えば、最新のタッチ座標および一つ前のタッチ座標に基づいて、これらの２つのタッチ座標を、例えば所定の太さを有する直線を用いて互いに結ぶ。そして、レンダリング部６３は、レンダリング処理により生成した画像情報（図７Ａ）を、画素値が変化した画素Ｐixについての描画要求とともに、駆動信号生成部６５に供給する。
【００６７】
アプリケーションソフトウェア５１は、タッチ座標についての情報に基づいて、いわゆる手書き機能に係る処理（手書き処理）を行う。そして、フレームワークソフトウェア５２は、アプリケーションソフトウェア５１からの指示に基づいてレンダリング処理を行う。そして、フレームワークソフトウェア５２は、レンダリング処理により生成された画像情報（図７Ｂ）を、ドライバソフトウェア６２に供給する。ドライバソフトウェア６２の画像処理部６４は、フレームワークソフトウェア５２から供給された画像情報に基づいて、画素値が変化した画素Ｐixについての描画要求を生成し、画像情報を、描画要求とともに、駆動信号生成部６５に供給する。
【００６８】
図７Ａ，７Ｂに示したように、レンダリング部６３によるレンダリング処理の処理結果と、フレームワークソフトウェア５２によるレンダリング処理の処理結果とは、必ずしも互いに一致しない。この例では、部分Ｗ０で示した複数の画素Ｐixにおいて、処理結果に差異が生じている。例えば、レンダリング部６３によるレンダリング処理の処理結果（図７Ａ）では、例えば画素Ｐix１，Ｐix２は、白表示から黒表示に変化すべき画素Ｐixである。すなわち、レンダリング部６３から供給される描画要求は、画素Ｐix１，Ｐix２についての描画要求を含んでいる。一方、フレームワークソフトウェア５２によるレンダリング処理の処理結果（図７Ｂ）では、画素Ｐix１は、白表示から黒表示に変化すべき画素Ｐixであり、画素Ｐix２は、白表示を維持すべき画素Ｐixである。すなわち、画像処理部６４から供給される、フレームワークソフトウェア５２によるレンダリング処理の処理結果に応じた描画要求は、画素Ｐix１についての描画要求を含んでおり、画素Ｐix２についての描画要求を含んでいない。
【００６９】
駆動信号生成部６５は、これらのレンダリング処理の処理結果に基づいて、表示状態を変化すべき画素Ｐixに供給する駆動信号Ｓdrvを生成する。具体的には、駆動信号生成部６５は、まず、レンダリング部６３から供給された画像情報および描画要求を受け取る。この描画要求は画素Ｐix１，Ｐix２についての描画要求を含んでいるので、駆動信号生成部６５は、所定の信号パターン（信号パターンＰＡＴＡ）を、先頭から順に、画素Ｐix１の駆動信号Ｓdrv１として表示パネル５に供給し始めるとともに、画素Ｐix２の駆動信号Ｓdrv２として表示パネル５に供給し始める。そして、表示パネル５の駆動部１０は、その駆動信号Ｓdrv１，Ｓdrv２に基づいて、画素Ｐix１，Ｐix２が黒表示を行うように、画素Ｐix１，Ｐix２を先行して駆動し始める。
【００７０】
その後、駆動信号生成部６５は、画像処理部６４から供給された、フレームワークソフトウェア５２によるレンダリング処理の処理結果に応じた画像情報および描画要求を受け取る。画像処理部６４から供給された描画要求は、画素Ｐix１についての描画要求を含んでいるので、駆動信号生成部６５は、画像処理部６４から供給された画像情報に含まれる画素Ｐix１の画素値と、すでに表示パネル５に供給した駆動信号Ｓdrv１の信号部分とに基づいて、駆動信号Ｓdrv１の残りの信号部分を生成し、この残りの信号部分を表示パネル５に供給する。表示パネル５の駆動部１０は、その駆動信号Ｓdrv１に基づいて、画素Ｐix１を引き続き駆動する。一方、画像処理部６４から供給された描画要求は、画素Ｐix２についての描画要求を含んでいないので、駆動信号生成部６５は、所定の信号パターン（信号パターンＰＡＴＡ）を、駆動信号Ｓdrv２として表示パネル５に引き続き供給する。表示パネル５の駆動部１０は、その駆動信号Ｓdrv２に基づいて、画素Ｐix２を引き続き駆動する。
【００７１】
以下に、いくつか例を挙げて、図７Ａ，７Ｂに示した画素Ｐix１の駆動信号Ｓdrv１、および画素Ｐix２の駆動信号Ｓdrv２を生成する動作について説明する。
【００７２】
（動作例ＯＰ１）
図８は、表示装置１における駆動信号Ｓdrvの生成動作の一例を表すものであり、（Ａ）は所定の信号パターンＰＡＴＡを示し、（Ｂ）はフレームワークソフトウェア５２によるレンダリング処理の処理結果に基づいて生成された信号パターンＰＡＴＢを示し、（Ｃ）は図７Ａ，７Ｂに示した画素Ｐix１の駆動信号Ｓdrv１を示し、（Ｄ）は図７Ａ，７Ｂに示した画素Ｐix２の駆動信号Ｓdrv２を示す。所定の信号パターンＰＡＴＡは、図８（Ａ）に示したように、この例では、４つの信号“Ｍ”、２つの信号“０”、４つの信号“Ｐ”、および１つの信号“０”が、この順で並んだものである。言い換えれば、この信号パターンＰＡＴＡは、黒表示を行うための信号（この例では４つの信号“Ｍ”）の後に、白表示を行うための信号（この例では４つの信号“Ｐ”）が配置されたものである。
【００７３】
駆動信号生成部６５は、まず、タイミングｔ２１よりも前のタイミングにおいて、レンダリング部６３から供給された画像情報および描画要求を受け取る。この例では、図７Ａに示したように、画素Ｐix１，Ｐix２は、白表示から黒表示に変化すべき画素Ｐixである。すなわち、レンダリング部６３から供給された描画要求は、画素Ｐix１，Ｐix２についての描画要求を含んでいる。駆動信号生成部６５は、画素Ｐix１についての描画要求に基づいて、タイミングｔ２１以降において、所定の信号パターンＰＡＴＡ（図８（Ａ））を、先頭から順に、画素Ｐix１の駆動信号Ｓdrv１として表示パネル５に供給し始める（図８（Ｃ））。同様に、駆動信号生成部６５は、画素Ｐix２についての描画要求に基づいて、タイミングｔ２１以降において、所定の信号パターンＰＡＴＡ（図８（Ａ））を、先頭から順に、画素Ｐix２の駆動信号Ｓdrv２として表示パネル５に供給し始める（図８（Ｄ））。これにより、画素Ｐix１の表示状態は、白表示から黒表示に向かって変化し始め、同様に、画素Ｐix２の表示状態は、白表示から黒表示に向かって変化し始める。
【００７４】
次に、駆動信号生成部６５は、タイミングｔ２２よりも前のタイミングにおいて、画像処理部６４から供給された、フレームワークソフトウェア５２によるレンダリング処理の処理結果に応じた画像情報および描画要求を受け取る。この例では、図７Ｂに示したように、画素Ｐix１は、白表示から黒表示に変化すべき画素Ｐixであり、画素Ｐix２は、白表示を維持すべき画素Ｐixである。すなわち、画像処理部６４から供給された描画要求は、画素Ｐix１についての描画要求を含んでおり、画素Ｐix２についての描画要求を含んでいない。
【００７５】
まず、画素Ｐix１に係る動作を説明する。画像処理部６４から供給された描画要求は、画素Ｐix１についての描画要求を含んでいるので、駆動信号生成部６５は、まず、画像処理部６４から供給された画像情報に含まれる画素Ｐix１の画素値に基づいて、信号パターンＰＡＴＢを生成する（図８（Ｂ））。この信号パターンＰＡＴＢは、図６Ｂに示した駆動信号Ｓdrvと同様に、１２個の信号“Ｍ”および１つの信号“０”が、この順で並んだものである。すなわち、この例では、画素Ｐix１の画素値は、黒表示に対応する画素値であり、駆動信号生成部６５は、この画素値に基づいて、黒表示に対応する信号パターンＰＡＴＢを生成する。そして、駆動信号生成部６５は、すでに表示パネル５に供給した駆動信号Ｓdrv１の信号部分Ｗ１と、生成した信号パターンＰＡＴＢとに基づいて、駆動信号Ｓdrv１の残りの信号部分Ｗ２を生成する。この例では、タイミングｔ２２において、すでに、２つの信号“Ｍ”を表示パネル５に供給しているので、駆動信号生成部６５は、信号パターンＰＡＴＢから２つの信号“Ｍ”（図８（Ｂ）における網掛け部分）を取り除くことにより信号部分Ｗ２を生成する。そして、駆動信号生成部６５は、タイミングｔ２２以降において、この信号部分Ｗ２を表示パネル５に引き続き供給する（図８（Ｃ））。これにより、駆動信号Ｓdrv１は、図８（Ｃ）に示したように、最終的に１２個の信号“Ｍ”および１つの信号“０”が、この順で並んだものとなる。すなわち、駆動信号Ｓdrv１は、信号パターンＰＡＴＢ（図８（Ｂ））と同じものとなる。
【００７６】
表示パネル５の駆動部１０は、この駆動信号Ｓdrv１に基づいて、１２個のフレーム期間Ｆにおいて画素電圧Ｖpixが電圧Ｖｍに設定され、続く１つのフレーム期間Ｆにおいて画素電圧Ｖpixが電圧Ｖcomに設定されるように、画素Ｐix１を駆動する。これにより、画素Ｐix１の表示状態は、白表示から黒表示に変化する。
【００７７】
次に、画素Ｐix２に係る動作を説明する。画像処理部６４から供給された描画要求は、画素Ｐix２についての描画要求を含んでいないので、駆動信号生成部６５は、タイミングｔ２２以降において、所定の信号パターンＰＡＴＡ（図８（Ａ））を、引き続き、画素Ｐix２の駆動信号Ｓdrv２として表示パネル５に供給し続ける（図８（Ｄ））。すなわち、駆動信号Ｓdrv２（図８（Ｄ））は、信号パターンＰＡＴＡ（図８（Ａ））と同じものとなる。
【００７８】
表示パネル５の駆動部１０は、この駆動信号Ｓdrv２に基づいて、４つのフレーム期間Ｆにおいて画素電圧Ｖpixが電圧Ｖｍに設定され、続く２つのフレーム期間Ｆにおいて画素電圧Ｖpixが電圧Ｖcomに設定され、続く４つのフレーム期間Ｆにおいて画素電圧Ｖpixが電圧Ｖｐに設定され、続く１つのフレーム期間Ｆにおいて画素電圧Ｖpixが電圧Ｖcomに設定されるように、画素Ｐix２を駆動する。これにより、画素Ｐix２の表示状態は、黒表示に近付いた後に白表示に戻り、結果として白表示に維持される。
【００７９】
ここで、所定の信号パターンＰＡＴＡは、本開示における「第１の信号パターン」の一具体例に対応する。信号パターンＰＡＴＢは、本開示における「第２の信号パターン」の一具体例に対応する。駆動信号Ｓdrv１は、本開示における「第１の駆動信号」の一具体例に対応する。信号部分Ｗ１は、本開示における「第１の信号部分」の一具体例に対応する。信号部分Ｗ２は、本開示における「第２の信号部分」の一具体例に対応する。
【００８０】
（動作例ＯＰ２）
図９は、表示装置１における駆動信号Ｓdrvの生成動作の他の例を表すものである。この動作例ＯＰ２は、駆動信号生成部６５が、動作例ＯＰ１に比べてより遅いタイミングで、フレームワークソフトウェア５２によるレンダリング処理の処理結果を受け取る例である。
【００８１】
駆動信号生成部６５は、まず、タイミングｔ２３よりも前のタイミングにおいて、レンダリング部６３から供給された画像情報および描画要求を受け取る。そして、駆動信号生成部６５は、その描画要求に含まれる画素Ｐix１，Ｐix２についての描画要求に基づいて、タイミングｔ２３以降において、所定の信号パターンＰＡＴＡ（図９（Ａ））を、先頭から順に、画素Ｐix１，Ｐix２の駆動信号Ｓdrv１，Ｓdrv２として表示パネル５に供給し始める（図９（Ｃ），（Ｄ））。これにより、画素Ｐix１，Ｐix２の表示状態は、白表示から黒表示に向かってともに変化し始める。
【００８２】
次に、駆動信号生成部６５は、タイミングｔ２４よりも前のタイミングにおいて、画像処理部６４から供給された、フレームワークソフトウェア５２によるレンダリング処理の処理結果に応じた画像情報および描画要求を受け取る。
【００８３】
画像処理部６４から供給された描画要求は、画素Ｐix１についての描画要求を含んでいるので、駆動信号生成部６５は、まず、画像処理部６４から供給された画像情報に含まれる画素Ｐix１の画素値に基づいて、信号パターンＰＡＴＢを生成する（図９（Ｂ））。そして、駆動信号生成部６５は、すでに表示パネル５に供給した駆動信号Ｓdrv１の信号部分Ｗ３と、生成した信号パターンＰＡＴＢとに基づいて、駆動信号Ｓdrv１の残りの信号部分Ｗ４を生成する。この例では、タイミングｔ２４において、すでに、４つの信号“Ｍ”を表示パネル５に供給しているので、駆動信号生成部６５は、信号パターンＰＡＴＢから４つの信号“Ｍ”（図９（Ｂ）における網掛け部分）を取り除くことにより信号部分Ｗ４を生成する。そして、駆動信号生成部６５は、タイミングｔ２４以降において、この信号部分Ｗ４を表示パネル５に引き続き供給する（図９（Ｃ））。表示パネル５の駆動部１０は、この駆動信号Ｓdrv１に基づいて、１２個のフレーム期間Ｆにおいて画素電圧Ｖpixが電圧Ｖｍに設定され、続く１つのフレーム期間Ｆにおいて画素電圧Ｖpixが電圧Ｖcomに設定されるように、画素Ｐix１を駆動する。これにより、画素Ｐix１の表示状態は、白表示から黒表示に変化する。
【００８４】
また、画像処理部６４から供給された描画要求は、画素Ｐix２についての描画要求を含んでいないので、駆動信号生成部６５は、タイミングｔ２４以降において、所定の信号パターンＰＡＴＡ（図９（Ａ））を、引き続き、画素Ｐix２の駆動信号Ｓdrv２として表示パネル５に供給し続ける（図９（Ｄ））。表示パネル５の駆動部１０は、この駆動信号Ｓdrv２に基づいて、４つのフレーム期間Ｆにおいて画素電圧Ｖpixが電圧Ｖｍに設定され、続く２つのフレーム期間Ｆにおいて画素電圧Ｖpixが電圧Ｖcomに設定され、続く４つのフレーム期間Ｆにおいて画素電圧Ｖpixが電圧Ｖｐに設定され、続く１つのフレーム期間Ｆにおいて画素電圧Ｖpixが電圧Ｖcomに設定されるように、画素Ｐix２を駆動する。これにより、画素Ｐix２の表示状態は、黒表示に近付いた後に白表示に戻り、結果として白表示に維持される。
【００８５】
（動作例ＯＰ３）
図１０は、表示装置１における駆動信号Ｓdrvの生成動作のさらに他の例を表すものである。この動作例ＯＰ３は、駆動信号生成部６５が、動作例ＯＰ２に比べてより遅いタイミングで、フレームワークソフトウェア５２によるレンダリング処理の処理結果を受け取る例である。
【００８６】
駆動信号生成部６５は、まず、タイミングｔ２５よりも前のタイミングにおいて、レンダリング部６３から供給された画像情報および描画要求を受け取る。そして、駆動信号生成部６５は、その描画要求に含まれる画素Ｐix１，Ｐix２についての描画要求に基づいて、タイミングｔ２５以降において、所定の信号パターンＰＡＴＡ（図１０（Ａ））を、先頭から順に、画素Ｐix１，Ｐix２の駆動信号Ｓdrv１，Ｓdrv２として表示パネル５に供給し始める（図１０（Ｃ），（Ｄ））。これにより、画素Ｐix１，Ｐix２の表示状態は、白表示から黒表示に向かってともに変化し始める。
【００８７】
次に、駆動信号生成部６５は、タイミングｔ２６よりも前のタイミングにおいて、画像処理部６４から供給された、フレームワークソフトウェア５２によるレンダリング処理の処理結果に応じた画像情報および描画要求を受け取る。
【００８８】
画像処理部６４から供給された描画要求は、画素Ｐix１についての描画要求を含んでいるので、駆動信号生成部６５は、まず、画像処理部６４から供給された画像情報に含まれる画素Ｐix１の画素値に基づいて、信号パターンＰＡＴＢを生成する（図１０（Ｂ））。そして、駆動信号生成部６５は、すでに表示パネル５に供給した駆動信号Ｓdrv１の信号部分Ｗ５と、生成した信号パターンＰＡＴＢとに基づいて、駆動信号Ｓdrv１の残りの信号部分Ｗ６を生成する。この例では、駆動信号生成部６５は、タイミングｔ２６において、すでに、４つの信号“Ｍ”、２つの信号“０”、および１つの信号“Ｐ”を表示パネル５に供給している。すなわち、駆動信号生成部６５は、等価的に、３つ（＝４−１）の信号“Ｍ”を表示パネル５に供給している。よって、駆動信号生成部６５は、信号パターンＰＡＴＢから３つの信号“Ｍ”（図１０（Ｂ）における網掛け部分）を取り除くことにより信号部分Ｗ６を生成する。そして、駆動信号生成部６５は、タイミングｔ２６以降において、この信号部分Ｗ６を表示パネル５に引き続き供給する（図１０（Ｃ））。これにより、駆動信号Ｓdrv１は、最終的に４つの信号“Ｍ”、２つの信号“０”、１つの信号“Ｐ”、９つの信号“Ｍ”、および１つの信号“０”が、この順で並んだものとなる。すなわち、この駆動信号Ｓdrv１は、等価的に、信号パターンＰＡＴＢ（図１０（Ｂ））と同様に、１２個の信号“Ｍ”を含んでいる。表示パネル５の駆動部１０は、この駆動信号Ｓdrv１に基づいて、４つのフレーム期間Ｆにおいて画素電圧Ｖpixが電圧Ｖｍに設定され、続く２つのフレーム期間Ｆにおいて画素電圧Ｖpixが電圧Ｖcomに設定され、続く１つのフレーム期間Ｆにおいて画素電圧Ｖpixが電圧Ｖｐに設定され、続く９つのフレーム期間Ｆにおいて画素電圧Ｖpixが電圧Ｖｍに設定され、続く１つのフレーム期間Ｆにおいて画素電圧Ｖpixが電圧Ｖcomに設定されるように、画素Ｐix１を駆動する。これにより、画素Ｐix１の表示状態は、白表示から黒表示に向かって変化し始めた後に、一旦白表示に近づき、さらにその後に黒表示に向かって変化する。よって、画素Ｐix１の表示状態は、結果として白表示から黒表示に変化する。
【００８９】
また、画像処理部６４から供給された描画要求は、画素Ｐix２についての描画要求を含んでいないので、駆動信号生成部６５は、タイミングｔ２６以降において、所定の信号パターンＰＡＴＡ（図１０（Ａ））を、引き続き、画素Ｐix２の駆動信号Ｓdrv２として表示パネル５に供給し続ける（図１０（Ｄ））。表示パネル５の駆動部１０は、この駆動信号Ｓdrv２に基づいて、４つのフレーム期間Ｆにおいて画素電圧Ｖpixが電圧Ｖｍに設定され、続く２つのフレーム期間Ｆにおいて画素電圧Ｖpixが電圧Ｖcomに設定され、続く４つのフレーム期間Ｆにおいて画素電圧Ｖpixが電圧Ｖｐに設定され、続く１つのフレーム期間Ｆにおいて画素電圧Ｖpixが電圧Ｖcomに設定されるように、画素Ｐix２を駆動する。これにより、画素Ｐix２の表示状態は、黒表示に近付いた後に白表示に戻り、結果として白表示に維持される。
【００９０】
このように、表示装置１では、レンダリング部６３によるレンダリング処理の処理結果に基づいて、画素値が変化した画素Ｐixが黒表示を行うように、画素Ｐixを先行して駆動し始めるようにしたので、画像を表示する際の応答時間を短くすることができる。すなわち、仮に、レンダリング部６３を設けない場合には、フレームワークソフトウェア５２によるレンダリング処理の処理結果に基づいて、描画動作を開始する。よって、フレームワークソフトウェア５２がタッチ座標についての情報をアプリケーションソフトウェア５１に供給する際の処理時間、アプリケーションソフトウェア５１における手書き処理の処理時間、フレームワークソフトウェア５２によるレンダリング処理の処理時間などの分だけ遅延が生じてしまう。このように遅延が生じた場合には、ユーザが違和感を感じるおそれがある。一方、表示装置１では、レンダリング部６３によるレンダリング処理の処理結果に基づいて、画素値が変化した画素Ｐixが黒表示を行うように、画素Ｐixを先行して駆動し始めるようにした。これにより、表示装置１では、遅延時間を削減することができるので、画像を表示する際の応答時間を短くすることができる。その結果、ユーザが違和感を感じるおそれを低減することができる。
【００９１】
特に、表示装置１では、レンダリング部６３によるレンダリング処理の処理結果に基づいて、画素Ｐixを先行して駆動し始めるようにしたので、各画素がメモリ回路やスイッチング回路を有する特許文献１に記載の表示装置とは異なり、専用の表示パネルを必要とすることなく、画像を表示する際の応答時間を短くすることができる。
【００９２】
また、表示装置１では、すでに表示パネル５に供給した駆動信号Ｓdrv１の信号部分と、生成した信号パターンＰＡＴＢとに基づいて、駆動信号Ｓdrv１の残りの信号部分を生成するようにした。これにより、表示装置１では、例えば、画質を高めることができる。すなわち、例えば、図１１に示すように、生成した信号パターンＰＡＴＢを、駆動信号Ｓdrv１の残りの信号部分Ｗ２として表示パネル５に供給した場合には、この例では、駆動信号Ｓdrv１における信号“Ｍ”の数が１４個になってしまい、通常の黒表示に対応する駆動信号Ｓdrv（例えば図６Ｂ）における信号“Ｍ”の数（この例では１２個）よりも多くなってしまう。これにより、画素Ｐix１の画素電圧Ｖpixは、より長い時間にわたり電圧Ｖｍに設定されるため、ゴーストや浮き上がりが生じ、画質が低下するおそれがある。また、いわゆる焼き付きが生じるおそれもある。一方、表示装置１では、すでに表示パネル５に供給した駆動信号Ｓdrv１の信号部分と、生成した信号パターンＰＡＴＢとに基づいて、駆動信号Ｓdrv１の残りの信号部分を生成するようにした。これにより、表示装置１では、画素Ｐix１の画素電圧Ｖpixが、長い時間にわたり電圧Ｖｍに設定されるおそれを低減することができるため、例えば、画質を高めることができる。
【００９３】
また、表示装置１では、例えば図８（Ａ）に示したように、所定の信号パターンＰＡＴＡにおいて、黒表示を行うための信号（この例では４つの信号“Ｍ”）の後に、白表示を行うための信号（この例では４つの信号“Ｐ”）を配置した。これにより、画素Ｐix１について応答時間を短くすることができるとともに、画素Ｐix２について白表示を維持させることができる。特に、画素Ｐix２は、先行して黒表示を開始したが、図７Ｂに示したように、本来は白表示を行うべき画素Ｐixである。表示装置１では、黒表示を行うための信号の後に、白表示を行うための信号を配置した所定の信号パターンＰＡＴＡを用いることにより、画素Ｐix２の表示状態を、黒表示に近付けた後に白表示に戻すことができ、結果として、白表示を維持することができる。
【００９４】
また、この例では、所定の信号パターンＰＡＴＡにおける、黒表示を行うための信号“Ｍ”の数と、白表示を行うための信号“Ｐ”の数とを同じにしたので、画素Ｐix２において、画素電圧Ｖpixが電圧Ｖｐに設定される時間長と、画素電圧Ｖpixが電圧Ｖｍに設定される時間長を等しくすることができるため、いわゆる焼き付きが生じるおそれを低減することができる。
【００９５】
先行して黒表示を開始した後に白表示に戻すケースは、他にもあり得る。例えば、図１２に示すように、ユーザが線を描いている最中に、表示装置１が白色のダイアログ画面ＰＩＣ１を表示する場合にも、そのようなケースが生じ得る。この例では、ユーザは、方向Ｄ１に向かって線を描いており、タッチ座標が座標Ｗ８に達したときに表示装置１がダイアログ画面ＰＩＣ１を表示する。そして、その後、ユーザは、線を描き続けている。この場合、軌跡のうちのダイアログ画面ＰＩＣ１と重なる部分Ｗ９に係る画素Ｐixでは、レンダリング部６３によるレンダリング処理の処理結果に基づいて、先行して黒表示が開始される。一方、フレームワークソフトウェア５２は、アプリケーションソフトウェア５１からの指示に基づいて、レンダリング処理を行い、ユーザが線を描いたときの軌跡を示す画像情報を生成する。フレームワークソフトウェア５２は、さらに、このダイアログ画面ＰＩＣ１を生成し、レンダリング処理により生成した画像情報とダイアログ画面を示す画像情報との合成処理を行う。このようにして合成された画像情報は、白いダイアログ画面ＰＩＣ１を含んでおり、よって、部分Ｗ９における画素値は白色を示す画素値である。つまり、この部分Ｗ９における画素値は変化しない。よって、画像処理部６４は、駆動信号生成部６５に対して、部分Ｗ９に係る画素Ｐixについての描画要求を行わない。その結果、駆動信号生成部６５は、所定の信号パターンＰＡＴＡを、引き続き、部分Ｗ９に係る画素Ｐixの駆動信号Ｓdrvとして表示パネル５に供給する。これにより、部分Ｗ９に係る画素Ｐixの表示状態は、黒表示に近付いた後に白表示に戻り、結果として白表示を維持することができる。
【００９６】
［効果］
以上のように本実施の形態では、レンダリング部によるレンダリング処理の処理結果に基づいて、画素値が変化した画素が黒表示を行うように、画素を先行して駆動し始めるようにしたので、画像を表示する際の応答時間を短くすることができる。
【００９７】
本実施の形態では、すでに表示パネルに供給した駆動信号の信号部分と、フレームワークソフトウェアによるレンダリング処理の処理結果に基づいて生成した信号パターンとに基づいて、駆動信号の残りの信号部分を生成するようにしたので、例えば、画質を高めることができる。
【００９８】
本実施の形態では、所定の信号パターンにおいて、黒表示を行うための信号の後に、白表示を行うための信号を配置したので、白表示を維持すべき画素については、先行して黒表示を始めた後に白表示に戻すことができる。
【００９９】
［変形例１］
上記実施の形態では、例えば図８（Ａ）に示したように、所定の信号パターンＰＡＴＡにおける黒表示を行うための信号“Ｍ”の数と、白表示を行うための信号“Ｐ”の数とを同じにしたが、これに限定されるものではない。例えば、白表示から黒表示に変化させる場合の変化時間が、黒表示から白表示に変化させる場合の変化時間よりも短いような表示パネル５を用いた場合には、図１３に示すように、所定の信号パターンＰＡＴＡにおいて、黒表示を行うための信号“Ｍ”の数を、白表示を行うための信号“Ｐ”の数よりも少なくすることができる。
【０１００】
＜２．適用例＞
次に、上述の実施の形態および変形例において説明した表示装置の適用例について説明する。ただし、以下で説明する電子機器の構成はあくまで一例であり、その構成は適宜変更可能である。上記の表示装置は、各種の電子機器あるいは服飾品の一部に適用可能であり、その電子機器等の種類は特に限定されない。
【０１０１】
（適用例１）
図１４Ａおよび図１４Ｂは、電子ブックの外観構成を表している。この電子ブックは、例えば、表示部１１０と、筐体１２０と、操作部１３０とを備えている。なお、操作部１３０は、図１４Ａに示したように筐体１２０の前面に設けられていてもよいし、図１４Ｂに示したように筐体１２０の側面に設けられていてもよい。表示部１１０は、上記の表示装置により構成される。なお、上記の表示装置は、図１４Ａ，１４Ｂに示した電子ブックと同様の構成を有するＰＤＡ（Personal Digital Assistants）等に搭載されてもよい。
【０１０２】
（適用例２）
図１５は、タブレットコンピュータの外観を表したものである。このタブレットコンピュータは、例えば、タッチパネル部３１０および筐体３２０を有しており、タッチパネル部３１０が上記の表示装置により構成されている。
【０１０３】
（適用例３）
上記の表示装置は、いわゆるウェアラブル端末として、例えば時計（腕時計）、鞄、衣服、帽子、眼鏡および靴等の服飾品の一部に適用することも可能である。以下に、そのような服飾品一体型の電子機器の一例を示す。
【０１０４】
図１６Ａおよび図１６Ｂは、電子時計（腕時計一体型電子機器）の外観を表したものである。この電子時計は、例えば文字盤（文字情報表示部分）４１０とバンド部（色柄表示部分）４２０とを有しており、これらの文字盤４１０およびバンド部４２０が上記の表示装置を含んで構成されている。文字盤４１０には、上述の電気泳動素子を用いた表示駆動により、図１６Ａおよび図１６Ｂのように、例えば様々な文字や図柄が表示される。バンド部４２０は、例えば腕等に装着可能な部位である。このバンド部４２０において、上記の表示装置を用いることにより、様々な色柄を表示することができ、図１６Ａの例から図１６Ｂの例のように、バンド部４２０の意匠を変更することができる。このように、ファッション用途においても有用な電子デバイスを実現可能となる。
【０１０５】
以上、実施の形態および変形例、ならびに電子機器への適用例を挙げて本技術を説明したが、本技術はこれらの実施の形態等には限定されず、種々の変形が可能である。
【０１０６】
例えば、上記の実施の形態では、マイクロカプセル方式の電気泳動素子を用いたが、これに限定されるものではなく、他の方式の電気泳動素子を用いてもよい。
【０１０７】
なお、本明細書に記載された効果はあくまで例示であって限定されるものでは無く、また他の効果があってもよい。
【０１０８】
なお、本技術は以下のような構成とすることができる。
【０１０９】
（１）複数の画素を有する表示部と、前記複数の画素にそれぞれ対応する複数の駆動信号に基づいて前記複数の画素をそれぞれ駆動可能な駆動部とを有する表示パネルと、
前記表示パネルの表示面におけるタッチを検出し、タッチ座標を含む検出信号を生成するタッチパネルと、
前記検出信号に基づいて、前記表示部の前記複数の画素のうちの第１の画素を含む１または複数の画素を選択する第１の処理を行う第１の処理部と、
前記検出信号に基づいて、前記表示部の前記複数の画素の画素値をそれぞれ生成する第２の処理を行う第２の処理部と、
前記第１の処理の処理結果に基づいて、所定の第１の信号パターンを、先頭から順に、前記第１の画素に対応する第１の駆動信号として前記表示パネルに供給し始め、前記第２の処理の処理結果において、前記第１の画素の前記画素値が変化した場合には、前記第１の画素の前記画素値、およびすでに前記第１の駆動信号として前記表示パネルに供給した前記第１の信号パターンの第１の信号部分に基づいて、第２の信号部分を生成し、前記第２の信号部分を前記第１の信号部分に続いて前記第１の駆動信号として前記表示パネルに供給する生成部と
を備えた表示装置。
（２）前記第２の処理の処理結果において、前記第１の画素の前記画素値が変化しない場合には、前記生成部は、前記所定の第１の信号パターンを前記第１の駆動信号として引き続き前記表示パネルに供給する
前記（１）に記載の表示装置。
（３）前記第１の処理部が前記第１の処理を終了した後に、前記第２の処理部が前記第２の処理を終了する
前記（１）または（２）に記載の表示装置。
（４）前記生成部は、前記第１の画素の前記画素値が変化した場合には、前記第１の画素の前記画素値に基づいて第２の信号パターンを生成し、前記第２の信号パターンおよび前記第１の信号部分に基づいて前記第２の信号部分を生成する
前記（１）から（３）のいずれかに記載の表示装置。
（５）前記生成部は、前記第２の信号パターンから、前記第１の信号部分に応じた所定数の信号を削除することにより、前記第２の信号部分を生成する
前記（４）に記載の表示装置。
（６）前記１または複数の画素は第２の画素を含み、
前記生成部は、前記第１の処理の処理結果に基づいて、前記第１の信号パターンを、先頭から順に、前記第２の画素に対応する第２の駆動信号として前記表示パネルに供給し始め、前記第２の処理の処理結果において、前記第２の画素の前記画素値が変化した場合には、前記第２の画素の前記画素値、およびすでに前記第２の駆動信号として前記表示パネルに供給した前記第１の信号パターンの第３の信号部分に基づいて、第４の信号部分を生成し、前記第４の信号部分を前記第３の信号部分に続いて前記第２の駆動信号として前記表示パネルに供給する
前記（１）から（５）のいずれかに記載の表示装置。
（７）前記第１の信号パターンは、
明表示および暗表示のうちの一方に対応する第１のパターンと、
前記第１のパターンの後ろに配置され、前記明表示および前記暗表示のうちの他方に対応する第２のパターンと
を含む
前記（１）から（６）のいずれかに記載の表示装置。
（８）前記第１のパターンは、前記暗表示に対応し、
前記第２のパターンは、前記明表示に対応する
前記（７）に記載の表示装置。
（９）前記第１のパターンのパターン長は、前記第２のパターンのパターン長と同じ長さである
前記（７）または（８）に記載の表示装置。
（１０）前記第１のパターンのパターン長は、前記第２のパターンのパターン長よりも短い
前記（７）または（８）に記載の表示装置。
（１１）前記第１の処理および前記第２の処理は、レンダリング処理を含む
前記（１）から（１０）のいずれかに記載の表示装置。
（１２）前記表示部は、電気泳動表示素子を用いて構成された
前記（１）から（１１）のいずれかに記載の表示装置。
（１３）表示パネルの表示面におけるタッチ座標を含む検出信号に基づいて、前記表示パネルの複数の画素のうちの第１の画素を含む１または複数の画素を選択する第１の処理を行い、
前記検出信号に基づいて、前記表示パネルの前記複数の画素の画素値をそれぞれ生成する第２の処理を行い、
前記第１の処理の処理結果に基づいて、所定の第１の信号パターンを、先頭から順に、前記第１の画素に対応する第１の駆動信号として前記表示パネルに供給し始め、
前記第２の処理の処理結果において、前記第１の画素の前記画素値が変化した場合には、前記第１の画素の前記画素値、およびすでに前記第１の駆動信号として前記表示パネルに供給した前記第１の信号パターンの第１の信号部分に基づいて、第２の信号部分を生成し、前記第２の信号部分を前記第１の信号部分に続いて前記第１の駆動信号として前記表示パネルに供給し、
前記第１の駆動信号に基づいて前記第１の画素を駆動する
表示方法。
【符号の説明】
【０１１０】
１…表示装置、５…表示パネル、６…タッチパネル、７…演算処理部、８…主記憶装置、９…副記憶装置、１０…駆動部、１１…表示制御部、１２…走査線駆動部、１３…信号線駆動部、２０…表示部、２１…トランジスタ、２２…表示素子、２３…マイクロカプセル、２４Ｂ，２４Ｗ…泳動粒子、２５…分散媒、３０…駆動基板、３１…基板、３２…画素電極、４０…対向基板、４１…基板、４２…対向電極、５１…アプリケーションソフトウェア、５２…フレームワークソフトウェア、６０…オペレーティングシステム、６１，６２…ドライバソフトウェア、６３…レンダリング部、６４…画像処理部、６５…駆動信号生成部、Ｆ…フレーム期間、Ｈ…水平期間、ＰＡＴＡ，ＰＡＴＢ…信号パターン、ＰＩＣ１…ダイアログ画面、Ｐix…画素、ＰＷ…描画期間、Ｓ…表示面、ＳＣＬ…走査線、Ｓｃ…走査信号、Ｓdrv，Ｓdrv１，Ｓdrv２…駆動信号、ＳＧＬ…信号線、Ｓepd，Ｓtp…信号、Ｖcom，Ｖｍ，Ｖｐ…電圧、Ｖpix…画素電圧。
【図１】
2018151440.tif 000003
【図２】
2018151440.tif 000004
【図３Ａ】
2018151440.tif 000005
【図３Ｂ】
2018151440.tif 000006
【図４】
2018151440.tif 000007
【図５】
2018151440.tif 000008
【図６Ａ】
2018151440.tif 000009
【図６Ｂ】
2018151440.tif 000010
【図７Ａ】
2018151440.tif 000011
【図７Ｂ】
2018151440.tif 000012
【図８】
2018151440.tif 000013
【図９】
2018151440.tif 000014
【図１０】
2018151440.tif 000015
【図１１】
2018151440.tif 000016
【図１２】
2018151440.tif 000017
【図１３】
2018151440.tif 000018
【図１４Ａ】
2018151440.tif 000019
【図１４Ｂ】
2018151440.tif 000020
【図１５】
2018151440.tif 000021
【図１６Ａ】
2018151440.tif 000022
【図１６Ｂ】
2018151440.tif 000023